(57)【要約】【課題】被施療者の体形に合わせて脚載部の回動と伸縮を行うことができるマッサージ機を提供する。【解決手段】背もたれ部と座部とを備え、前記座部の前方に脚載部を具備する椅子式のマッサージ機において、前記脚載部を、座部の前方において上下に所定角度で回動させるとともに、前記所定角度でのみ、前記座部に対して伸縮させるので、回動による脚載部の位置合わせよりも、伸縮による脚載部の位置合わせにより被施療者の体形に対して合わせ込みが容易になる。また、回動する角度が特定されているので、その角度のみで回動させる機構とすればよく、回動機構を簡素化することができる。【選択図】図１
2009095429.tif 000002
【特許請求の範囲】
【請求項１】
背もたれ部と座部とを備え、前記座部に脚載部を取り付けた椅子式のマッサージ機において、
前記脚載部を、座部の前方において上下方向に回動可能とし、所定角度による回動位置でのみ、前記座部に対して前後方向へ伸縮可能としたことを特徴とするマッサージ機。 
【請求項２】
前記脚載部を所定角度で回動させる回動機構と、
この回動機構により所定角度で回動させた後に、前記座部に対して所定長さで当該脚載部を伸縮させる伸縮機構と、
前記回動機構と前記伸縮機構とを動作させる共用のアクチュエータと、
を備えたことを特徴とする請求項１に記載のマッサージ機。
【請求項３】
前記所定角度は、脚載台の最大回動角度としたことを特徴とする請求項１または請求項２に記載のマッサージ機。 
【発明の詳細な説明】
【技術分野】
【０００１】
この発明はマッサージ機、詳しくは座部の前方に脚載部を備えた椅子式のマッサージ機に関する。
【背景技術】
【０００２】
一般的に、椅子式のマッサージ機は、被施療者が腰掛ける座部と、その座部の後部に背もたれ部とを備え、前記座部の前方にはマッサージ手段を備えた脚載部（オットマン）が設けられている。脚載部は、一般に、足を支持する足支持部（レッグレスト）と、足を載せる足載せ台（フットレスト）とを備えており、これにより、被施療者が椅子に座った状態で、脚載部の足載せ台に足を載せながら、足のマッサージを受けることができる。
【０００３】
ところで、脚載部は、座部の前方に配置しているので、着席状態から踵を引いて起立することが困難である。また、また、起立状態から椅子に着席するときに脚載部が邪魔になりやすい。このため、前記脚載部を座部に下部内に収納可能にしたマッサージ機が開発されている。
【０００４】
例えば、特許文献１には、座部内に脚載部を収納可能にしたマッサージ機が開示されている。
【０００５】
これは、マッサージ椅子内にマッサージ機能を有する脚載部と接続する押引機構が設けられており、この押引機構は、マッサージ椅子の両側に設置されているガイドレールとこのガイドレールに沿って移動する走行機構とを備え、さらに、この走行機構には前方に突き出るとともに、先端部が前記脚載部を連結支持するキャリッジ板の後端部に連結した押引ロッドが固定されている。
【０００６】
そして、押引ロッドが押し出されると、脚載部は、脚受面を上方に向けたまま使用位置に位置し、さらに押引ロッドが押し出されて、走行機構がガイドレールの前側に形成された上方反り部に至ると、脚載部は脚受面が前方になるように回動する。そして、このときの脚載部の先端は床面に設置した状態となる。一方、押引ロッドが引き込まれると、脚載部は、再び脚受面を上方に向けた状態でマッサージ椅子の内蔵位置に収納される。
【特許文献１】特開２００７−７５５９０号公報
【発明の開示】
【発明が解決しようとする課題】
【０００７】
しかしながら、前記特許文献１に記載の椅子式のマッサージ機は、被施療者の体形や好みに合わせた位置合わせが不可能である。すなわち、脚載部が回動しても、床面に設置したままなので、脚を伸ばしたい場合、あるいは脚の長い使用者の場合に対応することができなかった。たとえ、脚載部が回動しても、床面に設置したままなので、脚を伸ばしたい場合、あるいは脚の長い使用者の場合に対応することができなかった。
【０００８】
また、脚載部が回動しても、被施療者の体形や好みに合わせた位置合わせが不可能である。すなわち、脚載部の伸縮機構を備えていないため、回動しても脚載部の基端から先端までの長さは一定であるからである。よって、脚載部が回動しても、脚の長い施療者は、背もたれ部側に腰を位置させるなどの位置合わせを行う必要があった。
【０００９】
そこで、本願発明者は、鋭意研究の結果、脚載部を推奨する角度に限定して回動させ、その後、脚載部の伸縮のみで被施療者の体形に合わせるマッサージ機とすることで、駆動系を簡素化できることを知見し、この発明を完成させた。
【００１０】
この発明は、被施療者の体形に合わせて脚載部の回動と伸縮を行うことができるマッサージ機を提供することを目的とする。
【００１１】
また、この発明は、脚載部を回動させる回動機構および駆動系を簡素化できるマッサージ機を提供することを目的とする。
【課題を解決するための手段】
【００１２】
（１）本発明では、背もたれ部と座部とを備え、前記座部に脚載部を取り付けた椅子式のマッサージ機において、前記脚載部を、座部の前方において上下方向に回動可能とし、所定角度による回動位置でのみ、前記座部に対して前後方向へ伸縮可能としたことを特徴とする。
【００１３】
（２）本発明は、上記（１）において、前記脚載部を所定角度で回動させる回動機構と、この回動機構により所定角度で回動させた後に、前記座部に対して所定長さで当該脚載部を伸縮させる伸縮機構と、前記回動機構と前記伸縮機構とを動作させる共用のアクチュエータと、を備えたことを特徴とする。
【００１４】
（３）本発明は、上記（１）または（２）において、前記所定角度は、脚載台の最大回動角度としたことを特徴とする。
【発明の効果】
【００１５】
（１）請求項１記載の本発明によれば、背もたれ部と座部とを備え、前記座部に脚載部を取り付けた椅子式のマッサージ機において、前記脚載部を、座部の前方において上下方向に回動可能とし、所定角度による回動位置でのみ、前記座部に対して前後方向へ伸縮可能としている。したがって、脚載部を推奨する角度に限定して回動させ、その角度において脚載部を伸縮させるので、座部から脚載部までの距離を変化することができ、被施療者の体形や好みに合わせた位置合わせが容易になる。また、回動する角度が特定されているので、その角度のみで回動させる機構とすればよく、回動機構を簡素化することができる。また、脚載部を所定角度で回動した後に伸縮するため、脚載部が床面に接触してしまう不都合を可及的に防止できる。
【００１６】
（２）また、請求項２に記載の発明によれば、前記脚載部を所定角度で回動させる回動機構と、この回動機構により所定角度で回動させた後に、前記座部に対して所定長さで当該脚載部を伸縮させる伸縮機構と、前記回動機構と前記伸縮機構とを動作させる共用のアクチュエータとを備えているので、上述した（１）の効果を、簡単な構成で、かつ低コストで実現することができる。
【００１７】
（３）さらに、請求項３に記載の発明によれば、前記所定角度は、脚載台の最大回動角度としているので、脚載部を水平方向に伸縮させる範囲を可及的に長くとることができる。
【発明を実施するための最良の形態】
【００１８】
本実施形態に係るマッサージ機は、背もたれ部と座部とを備え、前記座部の前方に脚載部を具備する椅子式のマッサージ機である。すなわち、被施療者が座部に着席した状態でマッサージを受けることができるマッサージ機である。
【００１９】
前記脚載部は、一般に、足を支持する足支持部（レッグレスト）と、足を載せる足載せ台（フットレスト）とを備えており、これにより、被施療者が椅子に座った状態で、脚載部の足載せ台に足を載せながら、足のマッサージを受けることができるものである。
【００２０】
そして、このマッサージ機の特徴的な機能としては、脚載部を、回動機構により座部の前方において上下に所定角度で回動させるとともに、その所定角度でのみ、前記座部の前方において伸縮機構により座部に対して伸縮させている。
【００２１】
脚載部は、座部の前方において回動機構により所定角度で回動する。その回動の角度は任意に設定される。また、脚載部は、前記所定角度において、伸縮機構により座部に対して所定長さで伸縮する。その伸縮の長さも限定されない。
【００２２】
本実施形態におけるマッサージ機は、座部の下方に脚載部を収納するものでもよいし、収納しないものでも適用することができる。すなわち、スタンバイ時は、脚載部（足支持部）が垂直状態（足載せ台は水平状態）にあり、そのスタンバイ状態から所定角度で上下に回動するものであればよい。
【００２３】
さらに、別の特徴的な機能としては、前記伸縮機構は、前記回動機構により所定角度で前記脚載部を上昇させた後、前記使用位置において座部に対して所定長さで前記脚載部を伸縮させる構成としている。しかも、前記回動機構と前記伸縮機構とを動作させるのは、共用の単独のアクチュエータであり、構成を極めて簡単にでき、コストダウン、軽量化を図ることが可能となっている。
【００２４】
以下、本願発明の実施の形態について、図面を参照しながらより具体的に説明する。図１は本実施形態に係るマッサージ機の全体構成を示す斜視図である。
【００２５】
図１に示すように、本実施形態に係るマッサージ機１０は、被施療者が着座する座部１２と、その座部１２を支持する基台部３５とを有している。さらに、前記座部１２の後側に倒伏自在にリクライニングできるように連結され、左右両側に体側施療部として機能する側壁部３６を取付けた背もたれ部１３を有している。さらに、座部１２の前側には以下詳細に説明する脚載部１１を有している。
【００２６】
前記基台部３５を除いて各部については、必要に応じて合成皮革などからなるカバーにより直接被覆するか、あるいは同じくカバーで被覆したクッション部材を配設している。
【００２７】
背もたれ部１３は、縦に伸延する左右の縦フレーム（図１では図示省略）を具備しており、この縦フレームの前側に、略中央に所定幅の長孔を形成した背もたれ板（図１では図示省略）を取付けるとともに、後側には背面カバー体（図１では図示省略）を取付け、この背面カバー体と前記背もたれ板との間にユニット配設空間を形成している。
【００２８】
そして、このユニット配設空間に、被施療者を押圧によってマッサージするための左右一対のもみ玉（図１では図示省略）を備え、このもみ玉を前記長孔に臨ませた状態で回動可能とした機械式のマッサージユニットを配設している。
【００２９】
マッサージユニットは、施療体駆動ユニットとしてのもみ玉駆動ユニットを収納したものである。そのもみ玉駆動ユニットは、施療体として配設した左右一対のもみ玉をたたき方向に揺動させることによってたたき作動を行わせるたたき機構と、前記もみ玉を偏心回動させることによってもみ作動を行わせるもみ機構とを具備している。そして、マッサージユニットは、背もたれ部１３の表側、すなわち背もたれ面側３６（被施療者と接する側）に向けて進退移動可能に構成され、進退した位置によって、もみ玉による被施療者への押圧力を変え、マッサージ強度を変えるようにしている。
【００３０】
また、前記背もたれ部１３の長孔を挟んで、背もたれ板の左右側上部には背中部用エアバッグ（図１では図示省略）を、左右側下部に腰部用エアバッグ（図１では図示省略）をそれぞれ配設し、エアポンプ（図１では図示省略）から供給されるエアによって背中や腰を押圧するエアマッサージを実行可能としている。
【００３１】
また、図１に示すように、前記座部１２の左右両側であって、基台部３５の上部に肘掛部３３を設けている。さらに、座部１２の後部側には臀下部用エアバッグ（図１では図示省略）を、前部側には腿部用エアバッグ（図１では図示省略）を、左右側には臀側部用エアバッグ（図１では図示省略）をそれぞれ取付けている。
【００３２】
肘掛部３３の上部には、施療者の指をマッサージする指用マッサージ袋体３４が設けられている。具体的には、図１に示すように、左右の各手を挿入可能な大きさを有する指用マッサージ袋体３４を肘掛部３３の上部に配設する。指用マッサージ袋体３４は、通常の球形状（膨張時）の袋体のみならず、防寒具の手袋のように指の形状にフィットできるような袋体とすることもできる。そして、その指用マッサージ袋体３４の内部にエアバック（図１では図示せず）を取り付けている。これにより、被施療者は、椅子に座った状態で背もたれ部１３に配設されたもみ玉で背中のマッサージを受けることができるとともに、前記指用マッサージ袋体３４に手を挿入して指のマッサージを受けることができる。
【００３３】
また、背もたれ部１３の両側には、腕の内側をマッサージする第１腕当部３７がそれぞれ設けられている。また、背もたれ部１３に両側であって、前記第１腕当部３７より外側には、腕の外側をマッサージする第２腕当部３８が配設されている。前記第１腕当部３７および前記第２腕当部３８には腕用エアバッグ３９が設けられている。これにより、被施療者は、前記第１腕当部３７と前記第２腕当部３８との間に腕を挟み込んだ状態でマッサージを受けることができる。
【００３４】
また、本実施形態におけるマッサージ機は、制御ユニットを備えている。制御ユニットＧは、例えば、基台部３５内の所定箇所に配設され、ＣＰＵと、個別マッサージ設定情報やコース情報やその他各種プログラムなどを記憶する記憶手段としてのメモリ部Ｇ１と、各種モータなどの駆動制御を行う駆動制御部Ｇ２とを備えている。
【００３５】
脚載部１１は、左右の脚を受ける半円筒状の左右脚受部を並設した本体部３１と、同本体部３１の先端に連設するとともに左右の足裏を受ける半円筒状の左右足裏受を並設した足裏受部３２とから構成されている。前記本体部３１の各脚受部の両内側面には、左右で対をなす脚上部用エアバッグ（図１では図示省略）を取付けている。また、前記足裏受部３２の各足裏受の両内側面にも、左右で対をなす脚下部用エアバッグ（図１では図示省略）を取付けている。
【００３６】
次に、本実施形態におけるマッサージ機は、脚載部１１の所定角度で回動させる回動機構１４に加え、脚載部１１を座部１２の前方に対して伸縮機構１５により伸縮可能に設けることができる。その伸縮機構１５について図２〜図７を参照して説明する。
【００３７】
図２は本実施形態に係るマッサージ機の伸縮機構１５の構成を示す斜視図、図３は本実施形態に係るマッサージ機の脚載部の伸縮動作を説明する側面図、図４は本実施形態に係るマッサージ機の脚載部が収納状態での第２連結軸の構成を示す側面図、図５は本実施形態に係るマッサージ機の脚載部が移動状態での第２連結軸の構成を示す側面図、図６は本実施形態に係るマッサージ機の脚載部が回動状態での第２連結軸の構成を示す側面図、図７は本実施形態に係るマッサージ機の脚載部が伸縮状態での第２連結軸の構成を示す側面図である。
【００３８】
座部１２の各側部には、図２に示すように、平板状の第１フレーム１６がそれぞれ立設されている。その第１フレーム１６は、座部１２の左右両側の基台部３５内に立設されている。また、その第１フレーム１６には、第１連結軸が挿通される第１ガイド孔１８が設けられている。その第１ガイド孔１８は、図２に示すように、前記第１フレーム１６に水平方向に所定長さを有する長孔である。
【００３９】
また、その第１ガイド孔１８の脚載部１１側（前方側）の端部には縦方向に円弧を有する半円形の孔５３が形成されている。その半円形の孔５３の直径は、前記第１ガイド孔の幅より大きい。その半円形の孔５３の切り欠け部には、ストッパ部５４が形成されている。そのストッパ部５４は、脚載部が所定角度まで回動した後の回動を規制する。
【００４０】
また、前記第１フレーム１６には、第１ガイド孔１８よりも背もたれ部１３側に第２ガイド孔１９が設けられている。前記第２ガイド孔１９は、前記第１ガイド孔１８よりも背もたれ部側に、水平方向に直線状に形成された水平移動ガイド部５５と、この水平移動ガイド部５５の終端部から床面方向に所定曲率で湾曲して形成された回動ガイド部５６と、この回動ガイド部５６の終端部から斜め下方に向けて直線状に形成された伸縮ガイド部５７とを有する。
【００４１】
脚載部１１には、図２に示すように、水平方向に２つの平板状の固定板２４が横架されている。前記２つの固定板２４の両端部には、棒状の支持板２５がそれぞれ垂設されている。その支持板２５の表面にはガイドレール２６が垂直方向に配設されている。そのガイドレール２６には、細長の平板状の第２フレーム１７が摺動可能に設けられている。前記第２フレーム１７の上端部には、横向きに円弧を有する半円形のピン孔４４が設けられている。
【００４２】
前記固定板２４には、脚載部１１を固定する略三角形（側面視して）の平板４５が背もたれ部１３側に突設されている。その略三角形の平板４５の背もたれ部１３側の頂点には、横向きに円弧を有する半円形のピン孔４６が設けられている。
【００４３】
そして、取り付けボルト４７を、第１フレーム１６に設けられた第１ガイド孔１８と、前記第２フレーム１７上端部のピン孔４４とに挿通させる。挿通された取り付けボルト４７は、ワッシャ４１とナット４２とにより止められる。このようにして、第１連結軸２０が構成される。そして、前記第１ガイド孔１８と第１連結軸２０とで回動機構１４が構成される。
【００４４】
また、取り付けボルト４８を、第１フレーム１６に設けられた第２ガイド孔１９と、前記略三角形の平板の背もたれ部１３側の頂点にある半円形のピン孔４６とに挿通させる。挿通された取り付けボルト４７は、ワッシャ４１とナット４２とにより止められる。このようにして、第２連結軸２１が構成される。そして、前記第２ガイド孔１９と第２連結軸２１とで伸縮機構１５が構成される。
【００４５】
ここで、前記取り付けボルト４７、４８は、図２に示すように、ボルト頭部２７と、半円筒形状の係合部２８と、ネジ山が形成されたねじ軸部２９とで構成されている。
【００４６】
さらに、前記伸縮機構１５を駆動するアクチュエータ２２は、前記回動機構１４を駆動するアクチュエータ２２と同じものを使用している。図３に示すように、アクチュエータ２２は、座部１２内に配設されている。アクチュエータ２２から延びるピストンロッド２３は、図３に示すように、脚載部１１の固定フレーム４０に連結されている。なお、図２に示すように、ピストンロッド２３は、前記固定板２４に連結部材３０を介してピン４９で回動自在にピン連結されている。
【００４７】
次に、伸縮動作について図４〜図７を参照して説明する。
【００４８】
まず、被施療者がマッサージ機に着席する前では、脚載部１１は座部１２の下方に収納されている。脚載部１１の収納状態では、図４に示すように、第１連結軸２０は第１ガイド孔１８の背もたれ部１３側の端部、第２連結軸２１は第２ガイド孔１９の背もたれ部１３側の端部に位置している。
【００４９】
次いで、被施療者がマッサージ機１０に着席し、リモコンを操作すると、制御ユニットは、アクチュエータ２２のピストンロッド２３を前方へ押し出して、座部１２内に収納された脚載部１１の移動動作および伸縮動作の制御を行う。すなわち、前記アクチュエータ２２のピストンロッド２３が前方に押し出されると、ピストンロッド２３の先端に連結部材でピン連結された固定板２４が前方に押し出される。これにより、前記固定板２４を配設している脚載部１１の固定フレーム４０も前方に移動することになる。
【００５０】
脚載部１１の移動状態では、図５に示すように、第１連結軸２０は第１ガイド孔１８の脚載部１１側の端部まで、第２連結軸２１は第２ガイド孔１９の水平移動ガイド部５５に沿って脚載部１１側の端部まで移動することができる。これにより、脚載部１１は、座部１２の前方の使用位置まで移動することができる。
【００５１】
さらに、ピストンロッド２３により脚載部１１を固定している固定フレーム４０が前方に押し出されると、前記固定板２４を配設している脚載部１１も前方に押し出されることになる。そして、図６に示すように、第２連結軸２１は、第１連結軸２０を中心として、前記湾曲した第２ガイド孔１９の回動ガイド部５６に沿って回動する。すなわち、第１連結軸２０から第２連結軸２１までを半径ｒの関係を有して、第２連結軸２１は円弧状の軌跡を描きながら第２ガイド孔１９を摺動する。このようにして、第２連結軸２１で連結している脚載部１１も所定角度で回動する。
【００５２】
さらに、アクチュエータ２２のピストンロッド２３を前方に押し出すと、図７に示すように、脚載部１１側に延出された第２ガイド孔１９の伸縮ガイド部５７に沿って第２連結軸２１が押し出されることになる。
【００５３】
また、脚載部１１の左右両側の固定フレーム４０には、棒状の支持板２５がそれぞれ垂設され、その支持板２５の表面にはガイドレール２６が垂直方向に配設されている。そのガイドレール２６には、細長の平板状の第２フレーム１７が摺動可能に設けられている。
【００５４】
そして、図７に示すように、前記第２フレーム１７の上端部は第１連結軸２０において固定されているので、第２フレーム１７がガイドフレーム上を摺動しながら、脚載部１１は前方に押し出されることとなる。これにより、脚載部１１は、座部１２の前方において伸縮自在に配設することができる。
【００５５】
この結果、座部１２に配設した１つのアクチュエータ２２により、前記脚載部１１を、図３（イ）に示すように、座部１２下方の収納位置から座部１２前方の使用位置まで移動させ、前記使用位置まで移動させた後、図３（ロ）に示すように、前記脚載部１１の上端部を軸として上下に所定角度で回動させ、その後、図３（ハ）に示すように、使用位置において座部１２に対して所定長さで前記脚載部１１を伸縮させることができる。
【００５６】
このようにして、脚載部１１を、座部１２の前方において上下に所定角度で回動機構１４により回動させるとともに、前記所定角度でのみ、前記座部１２の前方において伸縮機構１５により座部１２に対して伸縮させるので、回動による脚載部１１の位置合わせよりも、伸縮による脚載部１１の位置合わせにより被施療者の体形や好みに合わせて位置合わせが容易になる。
【００５７】
また、回動する角度が特定されているので、その角度のみで回動させる機構とすればよく、回動機構を簡素化することができる。すなわち、脚載部１１が所定角度まで回動した後の回動を規制するストッパ部５４を形成するとともに、前記第１連結軸２０に、前記ストッパ部５４に係合する係合部２８を形成すれば、その角度のみで回動させる回動機構１４とすることができる。このようにして、脚載部１１を回動する回動機構１４を簡素化することができる。
【００５８】
さらに、脚載部１１は、前記回動機構１４により所定角度で回動させた後に、前記伸縮機構１５により伸縮させているので、被施療者の体形や好みに合わせて位置合わせが容易になる。
【００５９】
さらに、前記所定角度は、脚載台１１を回動させる最大角度であるので、脚載部１１を水平方向に伸縮させる範囲を可及的に長くとることができる。
【００６０】
次に、被施療者の体形に合わせた脚載部用回動軸５１の位置および背もたれ部用回動軸５２の位置について図８および図９を参照して説明する。図８は、本実施形態に係るマッサージ機の脚載部１１の枢軸および背もたれ部１３の枢軸の構成を説明する説明図、図９は本実施形態に係るマッサージ機の脚載部の第１連結軸が膝関節付近にある構成を説明する説明図である。
【００６１】
従来、マッサージ機は、誰でも被施療者が着席してマッサージを受けることができるように、脚載部１１を座部１２に対して所定角度で回動させる脚載部用回動軸５１と、背もたれ部１３を所定角度で回動させる背もたれ部用回動軸５２とは、任意の位置に設定されていた。すなわち、前記回動軸の位置は、膝の関節位置に関係なく設定されていた。また、背もたれ部１３の回動軸の位置は、腰部の関節位置に関係なく設定されていた。
【００６２】
しかしながら、たとえ、着座状態では体形にフィットする形態であっても、脚載部１１の回動または背もたれ部１３の傾倒した状態では、被施療者によっては、シートの位置と身体との位置合わせにずれが生じてしまう。すなわち、脚の長い被施療者が脚載部１１を使用した場合、脚載部１１を回動した状態では、脚載部１１から脚がはみ出した状態になってしまう問題が生じる。または、座高の少ない被施療者が、背もたれ部１３を傾倒した状態では、背もたれ部１３に配設してもみ玉が背中部に当接しない問題が生じてしまう。
【００６３】
そこで、本実施形態におけるマッサージ機は、被施療者の関節付近に、前記脚載部用回動軸５１または背もたれ部用回動軸５２を配設した。具体的には、図８に示すように、座部１２の左右両側の基台部３５（アームレスト部）を備え、その基台部３５に脚載部１１を連結する脚載部１１の脚載部用回動軸５１を設け、その脚載部用回動軸５１を、被施療者が着席した状態での膝の関節付近に配設するようにした。
【００６４】
また、図８に示すように、前記基台部３５に前記背もたれ部１３を連結する背もたれ部用回動軸５２を設け、その背もたれ部用回動軸５２を腰部の関節付近に配設するようにした。
【００６５】
このようにして、被施療者の関節付近に、脚載部用回動軸５１および背もたれ部用回動軸５２を設定するようにしているので、調整作動中および調整後での身体とチェアのずれ量が従来に比べて大幅に少なくなるため、身体をゆさぶる程度でシートに対して被施療者の体形をフィットさせることができる。
【００６６】
また、前記脚載部用回動軸５１および背もたれ部用回動軸５２を関節付近に設けているので、基台部３５が膝関節側および腰関節側に拡大している。これにより、被施療者は、着座状態から起立状態になるときに、基台部３５の上部にかける手の位置が従来に比べて上方に位置するので、立ち上がりやすくなる。
【００６７】
さらに、背もたれ部１３の回動軸を上方に配設することができるので、背もたれ部１３を構成するシートバック部の下端を上方まで縮小することができるとともに、そのシートバック部を軽量化することができるのである。
【００６８】
さらに、本実施形態におけるマッサージ機は、図９に示すように、脚載部１１を収納から伸縮させる第１ガイド孔１８および第２ガイド孔を備えているものであっても、脚載部１１を回動させる第１連結軸２０を膝の関節付近に設けることができる。このようにして、本実施形態におけるマッサージ機は、脚載部１１を収納状態から伸縮可能に設け、非施療者が体をゆさぶる程度でシートに対して体形をフィットさせることができる。
【図面の簡単な説明】
【００６９】
【図１】本実施形態に係るマッサージ機の全体構成を示す側面図である。
【図２】本実施形態に係るマッサージ機の伸縮機構の構成を示す斜視図である。
【図３】本実施形態に係るマッサージ機の脚載部の伸縮移動を説明する側面図である。
【図４】本実施形態に係るマッサージ機の脚載部が収納状態での第２連結軸の構成を示す側面図である。
【図５】本実施形態に係るマッサージ機の脚載部が移動状態での第２連結軸の構成を示す側面図である。
【図６】本実施形態に係るマッサージ機の脚載部が回動状態での第２連結軸の構成を示す側面図である。
【図７】本実施形態に係るマッサージ機の脚載部が伸縮状態での第２連結軸の構成を示す側面図である。
【図８】本実施形態に係るマッサージ機の脚載部用回動軸および背もたれ部用回動軸の構成を説明する説明図である。
【図９】本実施形態に係るマッサージ機の脚載部の第１連結軸が膝関節付近にある構成を説明する説明図である。
【符号の説明】
【００７０】
１０  マッサージ機、
１１  脚載部、
１２  座部、
１３  背もたれ部、
１４  回動機構、
１５  伸縮機構、
１６  第１フレーム、
１７  第２フレーム、
１８  第１ガイド孔、
１９  第２ガイド孔、
２０  第１連結軸、
２１  第２連結軸、
２２  アクチュエータ。
【図１】
2009095429.tif 000003
【図２】
2009095429.tif 000004
【図３】
2009095429.tif 000005
【図４】
2009095429.tif 000006
【図５】
2009095429.tif 000007
【図６】
2009095429.tif 000008
【図７】
2009095429.tif 000009
【図８】
2009095429.tif 000010
【図９】
2009095429.tif 000011